(57)【要約】  携帯端末装置（１）は、対向装置（２）からの信号をｉＣ機能を用いて受信するｉＣ機能部（１３）と、カメラ機能部（１２）と、ｉＣ機能部（１３）とカメラ機能部（１２）とを制御する制御回路部（１１）とを含み、制御回路部（１１）は、対向装置（２）からの信号にカメラ機能部（１３）の機能を停止させる情報が含まれる場合、カメラ機能部（１３）の機能を停止させる。これにより比較的簡易な構成で、携帯端末装置がカメラ持込禁止区域に持ち込まれるとほぼ同時に、携帯端末装置のカメラ機能を停止させる一方、他の機能は起動可能に保持することができる。
2013114494.tif 000002
【特許請求の範囲】
【請求項１】
対向装置からの信号をｉＣ機能を用いて受信するｉＣ機能手段と、
カメラ機能手段と、
前記ｉＣ機能手段と前記カメラ機能手段とを制御する制御回路手段とを含み、
前記制御回路手段は、前記対向装置からの信号に前記カメラ機能手段の機能を停止させる情報が含まれる場合、前記カメラ機能手段の機能を停止させることを特徴とする携帯端末装置。
【請求項２】
前記制御回路手段は、前記対向装置からの信号に前記カメラ機能手段の機能を起動させる情報が含まれる場合、前記カメラ機能手段の機能を起動させることを特徴とする請求項１記載の携帯端末装置。
【請求項３】
前記対向装置は所定区域への入退場管理に使用され、
前記制御回路手段は、前記携帯端末装置が前記所定区域へ入場する際に前記カメラ機能手段の機能を停止させ、前記携帯端末装置が前記所定区域から退場する際に前記カメラ機能手段の機能を起動させることを特徴とする請求項１または２記載の携帯端末装置。
【請求項４】
対向装置からの信号をｉＣ機能を用いて受信するｉＣ機能手段と、カメラ機能手段と、前記ｉＣ機能手段と前記カメラ機能手段とを制御する制御回路手段とを含む携帯端末装置における近距離通信方法であって、
前記制御回路手段は、前記対向装置からの信号に前記カメラ機能手段の機能を停止させる情報が含まれる場合、前記カメラ機能手段の機能を停止させることを特徴とする近距離通信方法。
【請求項５】
前記制御回路手段は、前記対向装置からの信号に前記カメラ機能手段の機能を起動させる情報が含まれる場合、前記カメラ機能手段の機能を起動させることを特徴とする請求項４記載の近距離通信方法。
【請求項６】
前記対向装置は所定区域への入退場管理に使用され、
前記制御回路手段は、前記携帯端末装置が前記所定区域へ入場する際に前記カメラ機能手段の機能を停止させ、前記携帯端末装置が前記所定区域から退場する際に前記カメラ機能手段の機能を起動させることを特徴とする請求項４または５記載の近距離通信方法。
【請求項７】
対向装置からの信号をｉＣ機能を用いて受信するｉＣ機能手段、カメラ機能手段、前記ｉＣ機能手段および前記カメラ機能手段を制御する制御回路手段を含む携帯端末装置と、
前記対向装置とを含む近距離通信システムであって、
前記制御回路手段は、前記対向装置からの信号に前記カメラ機能手段の機能を停止させる情報が含まれる場合、前記カメラ機能手段の機能を停止させることを特徴とする近距離通信システム。
【請求項８】
前記制御回路手段は、前記対向装置からの信号に前記カメラ機能手段の機能を起動させる情報が含まれる場合、前記カメラ機能手段の機能を起動させることを特徴とする請求項７記載の近距離通信システム。
【請求項９】
前記対向装置は所定区域への入退場管理に使用され、
前記制御回路手段は、前記携帯端末装置が前記所定区域へ入場する際に前記カメラ機能手段の機能を停止させ、前記携帯端末装置が前記所定区域から退場する際に前記カメラ機能手段の機能を起動させることを特徴とする請求項７または８記載の近距離通信システム。
【請求項１０】
対向装置からの信号をｉＣ機能を用いて受信するｉＣ機能手段と、カメラ機能手段と、前記ｉＣ機能手段と前記カメラ機能手段とを制御する制御回路手段とを含む携帯端末装置における近距離通信方法のプログラムが格納された記憶媒体であって、
前記対向装置からの信号に前記カメラ機能手段の機能を停止させる情報が含まれる場合、前記カメラ機能手段の機能を停止させる処理を前記制御回路手段に実行させるためのプログラムが格納された記憶媒体。
【発明の詳細な説明】
【技術分野】
【０００１】
本発明は、携帯端末装置およびその近距離通信方法ならびに近距離通信システムに関し、特にｉＣ通信機能を有する携帯端末装置およびその近距離通信方法ならびに近距離通信システムに関する。
【背景技術】
【０００２】
ｉＣ通信機能は、携帯端末装置に設けられる近距離通信機能の一種であり、携帯端末装置を対向装置にかざすだけでその対向装置との通信が可能となるものである。この機能は、おサイフケータイ（登録商標）、スイカ（登録商標）、パスモ（登録商標）等として実現されている。【０００３】
また、現在、市販されている携帯端末装置にはカメラ機能が搭載されているものが多い。【０００４】
一方、本発明の関連技術の一例として、入退場システムの一例が開示されている。この入退場システムは、非接触ＩＣカード外部Ｒ／Ｗ（リーダ／ライタ）および入退場管理サーバから構成され、エリアの入場口にそのＲ／Ｗが備え付けられ、携帯端末をそのＲ／Ｗに近づけるとその携帯端末の製造番号等の情報を送信し、その情報について登録された携帯端末であるか否かをその管理サーバが認証するというものである（例えば、特許文献1参照）。【０００５】
また、本発明の関連技術の他の一例として、カメラ起動設定システムの一例が開示されている。このカメラ起動設定システムは、サーバと、撮影が禁止され得る施設に配置される基地局と、この基地局と近距離無線通信を行うカメラ付き携帯端末とから構成され、その施設が撮影禁止である場合はサーバから基地局に対し、カメラ機動非許可信号を送信するよう指示が出され、その施設が撮影可能である場合はサーバから基地局に対し、その携帯端末にカメラ機動許可信号を送信するよう指示が出されるというものである（例えば、特許文献２参照）。【０００６】
また、本発明の関連技術の他の一例として、カメラ機能付き携帯電話機による撮影規制システムの一例が開示されている。このカメラ機能付き携帯電話機による撮影規制システムは、カメラ機能付き携帯電話機のユーザは、赤外線通信の個人データの送信を選択してユーザ情報を送信し、カメラ機能制御装置はそのユーザ情報と登録されている管理データとを照合し、一致するデータが存在しなければ入場者と認識し、ＢＳ赤外線送受信部からカメラ制御信号を送信し、その携帯電話機はそのカメラ制御信号を受信するとカメラ機能の設定を行うというものである（例えば、特許文献３参照）。
【先行技術文献】
【特許文献】
【０００７】
【特許文献１】特開２０１１−０４４８８９号公報
【特許文献２】特開２００６−２５４２４９号公報
【特許文献３】特開２００６−２４５８１１号公報
【発明の概要】
【発明が解決しようとする課題】
【０００８】
しかし、企業によっては、秘密保持のためカメラ付き携帯端末装置を事務所や特定区域に持ち込むのを禁止している場合が多く見かけられる。この場合、カメラ付き携帯端末装置を特定区域に持ち込めないので、その携帯端末装置に保存してある他の情報（スケジュール、メモ、配信資料等）を参照することができないという課題がある。【０００９】
また、携帯端末装置は、おサイフケータイ（登録商標）機能、ｉＣ通信機能により、スイカ（登録商標）、パスモ（登録商標）等の電車の切符や定期券として利用され、航空機においてはｅチケット（電子航空券）の発行により携帯端末装置でバーコードをダウンロードして、搭乗の際にそのバーコードをかざして搭乗できるようになっている。【００１０】
しかし、とくに航空機内では携帯端末装置の電源を切ることが義務付けられており、この場合もその携帯端末装置に保存してある他の情報（スケジュール、メモ、配信資料等）を参照することができないという課題がある。【００１１】
一方、特許文献１に記載の発明は、非接触ＩＣカードを用いた近距離通信に関する技術である点で本発明と共通する。しかし、カメラ機能を制御する点については記載がない。【００１２】
また、特許文献２に記載の発明は、カメラ機能を制御する点で本発明と共通する。しかし、この関連発明は、通常は撮影禁止の場所でも、一時的に撮影が可能となった場合は携帯端末にカメラ機動を許可するようにする発明であり、その目的が本発明と異なる。さらに、サーバを用い、サーバからカメラ機動許可・非許可の指示を基地局に与え、その指示を受けた基地局が携帯端末のカメラ機能を制御するものであり、基地局以外にサーバという構成要件を必要とする点で、その構成が本発明と相違する。【００１３】
また、特許文献３に記載の発明は、カメラ機能を制御する点で本発明と共通する。しかし、この関連発明は、赤外線通信を用いる点で本発明と構成が相違する。赤外線通信の場合は、信号を受信するにあたり受信の操作が必要である。これに対し、本発明のｉＣ通信機能は携帯端末装置を対向装置にかざすだけで受信することができる。【００１４】
また、カメラ機能を制御する前に、携帯電話機からユーザ情報を受信し、そのユーザ情報と登録されている管理データとを照合し、一致するデータが存在しなければ入場者と認識する、という手順が必要である点で、その構成が本発明と相違する。本発明では、このような手順を踏まず、カメラ機能を制御することが可能である。【００１５】
そこで、本発明の目的は、比較的簡易な構成で、携帯端末装置がカメラ持込禁止区域に持ち込まれるとほぼ同時に、携帯端末装置のカメラ機能を停止させる一方、他の機能は起動可能に保持することにある。
【課題を解決するための手段】
【００１６】
前記課題を解決するために、本発明による携帯端末装置は、対向装置からの信号をｉＣ機能を用いて受信するｉＣ機能部と、カメラ機能部と、前記ｉＣ機能部と前記カメラ機能部とを制御する制御回路部とを含み、前記制御回路部は、前記対向装置からの信号に前記カメラ機能部の機能を停止させる情報が含まれる場合、前記カメラ機能部の機能を停止させることを特徴とする。【００１７】
また、本発明による近距離通信方法は、対向装置からの信号をｉＣ機能を用いて受信するｉＣ機能部と、カメラ機能部と、前記ｉＣ機能部と前記カメラ機能部とを制御する制御回路部とを含む携帯端末装置における近距離通信方法であって、前記制御回路部は、前記対向装置からの信号に前記カメラ機能部の機能を停止させる情報が含まれる場合、前記カメラ機能部の機能を停止させることを特徴とする。【００１８】
また、本発明による近距離通信システムは、対向装置からの信号をｉＣ機能を用いて受信するｉＣ機能部、カメラ機能部、前記ｉＣ機能部および前記カメラ機能部を制御する制御回路部を含む携帯端末装置と、前記対向装置とを含む近距離通信システムであって、前記制御回路部は、前記対向装置からの信号に前記カメラ機能部の機能を停止させる情報が含まれる場合、前記カメラ機能部の機能を停止させることを特徴とする。【００１９】
また、本発明によるプログラムは、対向装置からの信号をｉＣ機能を用いて受信するｉＣ機能部と、カメラ機能部と、前記ｉＣ機能部と前記カメラ機能部とを制御する制御回路部とを含む携帯端末装置における近距離通信方法のプログラムであって、前記対向装置からの信号に前記カメラ機能部の機能を停止させる情報が含まれる場合、前記カメラ機能部の機能を停止させる処理を前記制御回路部に実行させるためのものであることを特徴とする。
【発明の効果】
【００２０】
本発明によれば、比較的簡易な構成で、携帯端末装置がカメラ持込禁止区域に持ち込まれるとほぼ同時に、携帯端末装置のカメラ機能を停止させる一方、他の機能は起動可能に保持することが可能となる。
【図面の簡単な説明】
【００２１】
【図１】本発明に係る近距離通信システムの第１実施形態の構成図である。
【図２】本発明に係る近距離通信システムの第１実施形態の動作を示すフローチャートである。
【図３】本発明に係る近距離通信システムの第２実施形態の構成図である。
【図４】本発明に係る近距離通信システムの第２実施形態の動作を示すフローチャートである。
【発明を実施するための形態】
【００２２】
以下、本発明の実施の形態について添付図面を参照しながら説明する。まず、本発明の第１実施形態について説明する。図１は本発明に係る近距離通信システムの第１実施形態の構成図である。
【００２３】
同図を参照すると、本発明に係る近距離通信システムの一例は、携帯端末装置１と、対向装置としての入退場機２とを含んで構成される。
【００２４】
携帯端末装置１は制御回路部１１と、カメラ機能部１２と、ｉＣ機能部１３と、プログラム格納部１４とを含んで構成される。なお、携帯端末装置１には、たとえば送信部および受信部等の他の構成部分も含むが、これらは関連技術と同様の構成であり、また本発明には無関係であるため、表示およびその動作説明は省略する。
【００２５】
なお、携帯端末装置１の一例として、本発明では携帯電話の例を挙げるが、他の携帯端末に本発明を適用することも可能である。
【００２６】
カメラ機能部１２は被写体を撮影するものである。ｉＣ機能部１３は近距離通信機能の一種であり、携帯端末装置１を対向装置２にかざすだけでその対向装置２との通信が可能となるものである。プログラム格納部１４には後述する携帯端末装置１の近距離通信方法のプログラムが格納されている。制御回路部１１は、少なくともカメラ機能部１２と、ｉＣ機能部１３と、プログラム格納部１４とを制御する。
【００２７】
入退場機２はリーダ装置２１を含んで構成される。携帯端末装置１の使用者が携帯端末装置１をリーダ装置２１にかざすと、リーダ装置２１から所定の無線信号が携帯端末装置１へ返送される。本発明では、一例として、カメラ持込禁止区域に入退場機２が設けられるものとする。
【００２８】
リーダ装置２１は携帯端末装置１がかざされることにより、携帯端末装置１の使用者がカメラ持込禁止区域に入ったことを検出する。リーダ装置２１は携帯端末装置１等の携帯端末装置のカメラ機能を停止させる情報を予め有している。
【００２９】
次に、第１実施形態の動作について説明する。図２は本発明に係る近距離通信システムの第１実施形態の動作を示すフローチャートである。同図は携帯端末装置１の動作例を示しており、具体的には制御回路部１１がカメラ機能部１２およびｉＣ機能部１３を制御する手順を示している。
【００３０】
まず、使用者がカメラ持込禁止区域に入場するに際し、携帯端末装置１を入退場機２のリーダ装置２１にかざす（ステップＳ１）。次に、携帯端末装置１の制御回路部１１はｉＣ機能部１３を介してリーダ装置２１から送信される信号を受信する（ステップＳ２）。
【００３１】
次に、制御回路部１１は受信した信号にカメラ機能を停止させる情報（以下、「カメラ機能停止信号」と記す）が含まれるか否かを調べる（ステップＳ３）。本実施例では、受信した信号にカメラ機能停止信号が含まれるので（ステップＳ３にて"ＹＥＳ"）、制御回路部１１はカメラ機能部１２を停止させる（ステップＳ４）。
【００３２】
一方、受信した信号にカメラ機能停止信号が含まれない場合は（ステップＳ３にて"ＮＯ"）、制御回路部１１はカメラ機能部１２を停止させない（ステップＳ５）。
【００３３】
以上説明したように、本発明の第１実施形態によれば、携帯端末装置１と入退場機２という比較的簡易な構成で、携帯端末装置１がカメラ持込禁止区域に持ち込まれるとほぼ同時に、携帯端末装置１のカメラ機能部１２を停止させる一方、他の機能は起動可能に保持することが可能となる。
【００３４】
次に、本発明の第２実施形態について説明する。図３は本発明に係る近距離通信システムの第２実施形態の構成図である。第２実施形態では入退場機２は入場用と退場用の２種のリーダ装置２１および２２を有している。
【００３５】
リーダ装置２１は第１実施例で説明したものと同様であり、カメラ持込禁止区域の入口に設けられる。また、リーダ装置２１は第１実施例と同様に、送信信号にカメラ機能停止信号を含んでいる。
【００３６】
これに対し、リーダ装置２２はカメラ持込禁止区域の出口に設けられる。また、リーダ装置２１は送信信号にカメラ機能起動信号を含んでいる。
【００３７】
なお、携帯端末装置１の構成は第１実施形態と同様であるため、その説明を省略する。
【００３８】
次に、第２実施形態の動作について説明する。図４は本発明に係る近距離通信システムの第２実施形態の動作を示すフローチャートである。なお、図４はリーダ装置２２の動作のみを示している。リーダ装置２１の動作は第１実施形態と同様であり、したがってフローチャートは図２に示すものと同様であるため、図示を省略する。なお、リーダ装置２２は携帯端末装置１等の携帯端末装置のカメラ機能を起動させる情報を予め有している。
【００３９】
まず、使用者がカメラ持込禁止区域に入場する場合は、入口に設けられたリーダ装置２１に携帯端末装置１をかざす。以下、第１実施形態で述べた動作が行われ、携帯端末装置１のカメラ機能部１２は停止に設定される。すなわち、使用者がカメラ持込禁止区域に滞在している間、使用者は携帯端末装置１のカメラ機能部１２を起動することはできない。
【００４０】
一方、使用者がカメラ持込禁止区域から退場する場合は、出口に設けられたリーダ装置２２に携帯端末装置１をかざす（ステップＳ１１）。次に、携帯端末装置１の制御回路部１１はｉＣ機能部１３を介してリーダ装置２２から送信される信号を受信する（ステップＳ１２）。次に、制御回路部１１は受信した信号にカメラ機能を起動させる情報（以下、「カメラ機能起動信号」と記す）が含まれるか否かを調べる（ステップＳ３）。本実施例では、受信した信号にカメラ機能起動信号が含まれるので（ステップＳ１３にて"ＹＥＳ"）、制御回路部１１はカメラ機能部１２を起動させる（ステップＳ１４）。
【００４１】
一方、受信した信号にカメラ機能起動信号が含まれない場合は（ステップＳ１３にて"ＮＯ"）、制御回路部１１はカメラ機能部１２を起動させない（ステップＳ１５）。
【００４２】
以上説明したように、本発明の第２実施形態によれば、携帯端末装置１と入退場機２という比較的簡易な構成で、携帯端末装置１がカメラ持込禁止区域に持ち込まれるとほぼ同時に、携帯端末装置１のカメラ機能部１２を停止させる一方、他の機能は駆動可能に保持することが可能となる。さらに、携帯端末装置１がカメラ持込禁止区域から持ち出されるとほぼ同時に、携帯端末装置１のカメラ機能部１２が起動されるため、使用者がカメラ機能部１２の操作をしなくてもカメラ機能部１２を復旧させることが可能となる。
【００４３】
次に、本発明の第３実施形態について説明する。第１および第２実施形態ではカメラ機能の制御の例について説明したが、携帯端末装置１がテレビジョン視聴機能、音楽再生機能、ＧＰＳ（ｇｌｏｂａｌ ｐｏｓｉｔｉｏｎｉｎｇｓｙｓｔｅｍ）機能のうちの少なくとも１つの機能を備える場合、カメラ機能の制御と同様にこれらの機能を制御することも可能である。
【００４４】
例えば、使用者が携帯端末装置１を持参して美術館や映画館等に入場する場合に、本発明を適用して、テレビジョン視聴機能、音楽再生機能、ＧＰＳ機能のうちの少なくとも１つの機能を制御することが可能である。
【００４５】
次に、本発明の第４実施形態について説明する。第４実施形態は近距離通信方法のプログラムに関するものである。第１実施形態の説明で述べたように、携帯端末装置１はプログラム格納部１４を有している（図１および図３参照）。このプログラム格納部１４には、携帯端末装置１の制御回路部１１に図２および図４に示す近距離通信方法の処理を実行させるためのプログラムが格納されている。
【００４６】
制御回路部１１はプログラム格納部１４からそれらのプログラムを読み出し、そのプログラムにしたがってカメラ機能部１２およびｉＣ機能部１３を制御する。
その制御内容は既に述べたので、ここでの説明は省略する。
【００４７】
以上説明したように、本発明の第４実施形態によれば、携帯端末装置１と入退場機２という比較的簡易な構成で、携帯端末装置１がカメラ持込禁止区域に持ち込まれるとほぼ同時に、携帯端末装置１のカメラ機能部１２を停止させる一方、他の機能は起動可能に保持することが可能となり、さらに、携帯端末装置１がカメラ持込禁止区域から持ち出されるとほぼ同時に、携帯端末装置１のカメラ機能部１２が起動されるため、使用者がカメラ機能部１２の操作をしなくてもカメラ機能部１２を復旧させることが可能となるというプログラムが得られる。
【００４８】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。この場合、コンピュータプログラムは、記録媒体に記録して提供することも可能であり、また、インターネットその他の通信媒体を介して伝送することにより提供することも可能である。また、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれる。
【００４９】
以上、実施の形態を参照して本願発明を説明したが、本願発明は上記によって限定されるものではない。本願発明の構成や詳細には、発明のスコープ内で当業者が理解し得る様々な変更をすることができる。
【００５０】
上記の実施形態の一部または全部は、以下の付記のようにも記載されうるが、以下には限られない。
【００５１】
（付記１）  対向装置からの信号をｉＣ機能を用いて受信するｉＣ機能部と、カメラ機能部と、前記ｉＣ機能部と前記カメラ機能部とを制御する制御回路部とを含み、前記制御回路部は、前記対向装置からの信号に前記カメラ機能部の機能を停止あるいは起動させる情報が含まれる場合、前記カメラ機能部の機能を停止あるいは起動させる携帯端末装置であって、前記携帯端末装置は前記カメラ機能部とともに、あるいは前記カメラ機能部に代えてテレビジョン視聴機能、音楽再生機能、ＧＰＳ（ｇｌｏｂａｌ ｐｏｓｉｔｉｏｎｉｎｇｓｙｓｔｅｍ）機能のうちの少なくとも１つの機能を備え、前記制御回路部はこれらの機能を制御するとともに、前記制御回路部は前記対向装置からの信号に応じて、テレビジョン視聴機能、音楽再生機能、ＧＰＳ機能のうちの少なくとも１つの機能を停止あるいは起動させることを特徴とする携帯端末装置。
【００５２】
（付記２）  対向装置からの信号をｉＣ機能を用いて受信するｉＣ機能部と、カメラ機能部と、前記ｉＣ機能部と前記カメラ機能部とを制御する制御回路部とを含む携帯端末装置における近距離通信方法であって、前記制御回路部は、前記対向装置からの信号に前記カメラ機能部の機能を停止あるいは起動させる情報が含まれる場合、前記カメラ機能部の機能を停止あるいは起動させ、前記携帯端末装置は前記カメラ機能部とともに、あるいは前記カメラ機能部に代えてテレビジョン視聴機能、音楽再生機能、ＧＰＳ（ｇｌｏｂａｌ ｐｏｓｉｔｉｏｎｉｎｇｓｙｓｔｅｍ）機能のうちの少なくとも１つの機能を備え、前記制御回路部はこれらの機能を制御するとともに、前記制御回路部は前記対向装置からの信号に応じて、テレビジョン視聴機能、音楽再生機能、ＧＰＳ機能のうちの少なくとも１つの機能を停止あるいは機動させることを特徴とする近距離通信方法。
【００５３】
（付記３）  対向装置からの信号をｉＣ機能を用いて受信するｉＣ機能部、カメラ機能部、前記ｉＣ機能部および前記カメラ機能部を制御する制御回路部を含む携帯端末装置と、前記対向装置とを含む近距離通信システムであって、前記制御回路部は、前記対向装置からの信号に前記カメラ機能部の機能を停止あるいは起動させる情報が含まれる場合、前記カメラ機能部の機能を停止あるいは起動させ、前記携帯端末装置は前記カメラ機能部とともに、あるいは前記カメラ機能部に代えてテレビジョン視聴機能、音楽再生機能、ＧＰＳ（ｇｌｏｂａｌ ｐｏｓｉｔｉｏｎｉｎｇｓｙｓｔｅｍ）機能のうちの少なくとも１つの機能を備え、前記制御回路部はこれらの機能を制御するとともに、前記制御回路部は前記対向装置からの信号に応じて、テレビジョン視聴機能、音楽再生機能、ＧＰＳ機能のうちの少なくとも１つの機能を停止あるいは機動させることを特徴とする近距離通信システム。
【００５４】
（付記４）  対向装置からの信号をｉＣ機能を用いて受信するｉＣ機能部と、カメラ機能部と、前記ｉＣ機能部と前記カメラ機能部とを制御する制御回路部とを含む携帯端末装置における近距離通信方法のプログラムであって、前記対向装置からの信号に前記カメラ機能部の機能を停止させる情報が含まれる場合、前記カメラ機能部の機能を停止させる処理を前記制御回路部に実行させるためのプログラムであり、前記制御回路部は、前記対向装置からの信号に前記カメラ機能部の機能を起動させる情報が含まれる場合、前記カメラ機能部の機能を起動させることを特徴とするプログラム。
【００５５】
（付記５）  前記対向装置は所定区域への入退場管理に使用され、前記制御回路部は、前記携帯端末装置が前記所定区域へ入場する際に前記カメラ機能部の機能を停止させ、前記携帯端末装置が前記所定区域から退場する際に前記カメラ機能部の機能を起動させることを特徴とする付記４記載のプログラム。
【００５６】
（付記６）  さらに前記カメラ機能部とともに、あるいは前記カメラ機能部に代えてテレビジョン視聴機能、音楽再生機能、ＧＰＳ（ｇｌｏｂａｌ ｐｏｓｉｔｉｏｎｉｎｇｓｙｓｔｅｍ）機能のうちの少なくとも１つの機能を備え、前記制御回路部はこれらの機能を制御するとともに、前記制御回路部は前記対向装置からの信号に応じて、テレビジョン視聴機能、音楽再生機能、ＧＰＳ機能のうちの少なくとも１つの機能を停止あるいは起動させることを特徴とする付記４または５記載のプログラム。
【００５７】
この出願は、２０１２年２月１日に出願された日本出願特願２０１２−０１９４０２を基礎とする優先権を主張し、その開示の全てをここに取り込む。
【符号の説明】
【００５８】
１  携帯端末装置
２  入退場機
１１  制御回路部
１２  カメラ機能部
１３  ｉＣ機能部
１４  プログラム格納部
２１，２２  リーダ装置
【図１】
2013114494.tif 000003
【図２】
2013114494.tif 000004
【図３】
2013114494.tif 000005
【図４】
2013114494.tif 000006
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
対向装置からの信号をｉＣ機能を用いて受信するｉＣ機能手段と、
カメラ機能手段と、
前記ｉＣ機能手段と前記カメラ機能手段とを制御する制御回路手段とを含み、
前記制御回路手段は、前記対向装置からの信号に前記カメラ機能手段の機能を停止させる情報が含まれる場合、前記カメラ機能手段の機能を停止させることを特徴とする携帯端末装置。
【請求項２】
前記制御回路手段は、前記対向装置からの信号に前記カメラ機能手段の機能を起動させる情報が含まれる場合、前記カメラ機能手段の機能を起動させることを特徴とする請求項１記載の携帯端末装置。
【請求項３】
前記対向装置は所定区域への入退場管理に使用され、
前記制御回路手段は、前記携帯端末装置が前記所定区域へ入場する際に前記カメラ機能手段の機能を停止させ、前記携帯端末装置が前記所定区域から退場する際に前記カメラ機能手段の機能を起動させることを特徴とする請求項１または２記載の携帯端末装置。
【請求項４】
対向装置からの信号をｉＣ機能を用いて受信するｉＣ機能手段と、カメラ機能手段と、前記ｉＣ機能手段と前記カメラ機能手段とを制御する制御回路手段とを含む携帯端末装置における近距離通信方法であって、
前記制御回路手段は、前記対向装置からの信号に前記カメラ機能手段の機能を停止させる情報が含まれる場合、前記カメラ機能手段の機能を停止させることを特徴とする近距離通信方法。
【請求項５】
前記制御回路手段は、前記対向装置からの信号に前記カメラ機能手段の機能を起動させる情報が含まれる場合、前記カメラ機能手段の機能を起動させることを特徴とする請求項４記載の近距離通信方法。
【請求項６】
前記対向装置は所定区域への入退場管理に使用され、
前記制御回路手段は、前記携帯端末装置が前記所定区域へ入場する際に前記カメラ機能手段の機能を停止させ、前記携帯端末装置が前記所定区域から退場する際に前記カメラ機能手段の機能を起動させることを特徴とする請求項４または５記載の近距離通信方法。
【請求項７】
対向装置からの信号をｉＣ機能を用いて受信するｉＣ機能手段、カメラ機能手段、前記ｉＣ機能手段および前記カメラ機能手段を制御する制御回路手段を含む携帯端末装置と、
前記対向装置とを含む近距離通信システムであって、
前記制御回路手段は、前記対向装置からの信号に前記カメラ機能手段の機能を停止させる情報が含まれる場合、前記カメラ機能手段の機能を停止させることを特徴とする近距離通信システム。
【請求項８】
前記制御回路手段は、前記対向装置からの信号に前記カメラ機能手段の機能を起動させる情報が含まれる場合、前記カメラ機能手段の機能を起動させることを特徴とする請求項７記載の近距離通信システム。
【請求項９】
前記対向装置は所定区域への入退場管理に使用され、
前記制御回路手段は、前記携帯端末装置が前記所定区域へ入場する際に前記カメラ機能手段の機能を停止させ、前記携帯端末装置が前記所定区域から退場する際に前記カメラ機能手段の機能を起動させることを特徴とする請求項７または８記載の近距離通信システム。
【請求項１０】
対向装置からの信号をｉＣ機能を用いて受信するｉＣ機能手段と、カメラ機能手段と、前記ｉＣ機能手段と前記カメラ機能手段とを制御する制御回路手段とを含む携帯端末装置における近距離通信方法のプログラムが格納された記憶媒体であって、
前記対向装置からの信号に前記カメラ機能手段の機能を停止させる情報が含まれる場合、前記カメラ機能手段の機能を停止させる処理を前記制御回路手段に実行させるためのプログラム。
【国際調査報告】
2013114494.tif 000007
2013114494.tif 000008